(57)【特許請求の範囲】
【請求項１】
物体側から順に、負のパワーの第１レンズ群と、正のパワーの第２レンズ群と、負のパワーの第３レンズ群とからなり、各群間の相対距離を変更することにより、全系の焦点距離を短焦点距離端と長焦点距離端の間で変化させるズームレンズ系において、
上記第１ないし第３レンズ群は、次のＡ、Ｂ、Ｃのズーミング基礎軌跡を有することを特徴とするズームレンズ系。
Ａ；上記短焦点距離端から中間の焦点距離までの短焦点距離側ズーミング域では、第１レンズ群と第２レンズ群は第１の間隔を保持して一体に、第３レンズ群との空気間隔を変化させながら該第３レンズ群とともに物体側に移動する。
Ｂ；上記中間焦点距離において、第１レンズ群と第２レンズ群は、短焦点距離側ズーミング域内の長焦点側端部における位置よりも像面側に移動して、かつその間隔を上記第１の間隔より狭め、第３レンズ群は、短焦点距離側ズーミング域内の長焦点側端部における位置より像面側に移動する。
Ｃ；上記中間焦点距離から長焦点距離端までの長焦点距離側ズーミング域では、第１レンズ群と第２レンズ群は、上記第１の間隔より狭い第２の間隔を保持して一体に、第３レンズ群との空気間隔を変化させながら該第３レンズ群とともに物体側に移動する。
【請求項２】
請求項１記載のズームレンズ系において、第１レンズ群と第２レンズ群は、焦点距離域に拘わらず、焦点調節時に一体に移動するフォーカスレンズ群であるズームレンズ系。
【請求項３】
物体側から順に、正のパワーの第１レンズ群と、負のパワーの第２レンズ群と、正のパワーの第３レンズ群と、負のパワーの第４レンズ群とからなり、各群間の相対距離を変更することにより、全系の焦点距離を短焦点距離端と長焦点距離端の間で変化させるズームレンズ系において、
上記第１ないし第４レンズ群は、次のＡ、Ｂ、Ｃのズーミング基礎軌跡を有することを特徴とするズームレンズ系。
Ａ；短焦点距離端から中間の焦点距離までの短焦点距離側ズーミング域では、第２レンズ群と第３レンズ群は第１の間隔を保持して一体に、第１レンズ群及び第４レンズ群との空気間隔を変化させながら該第１レンズ群及び第４レンズ群とともに物体側に移動する。
Ｂ；上記中間焦点距離において、第２レンズ群と第３レンズ群は、短焦点距離側ズーミング域内の長焦点側端部における位置よりも像面側に移動して、かつその間隔を上記第１の間隔より狭め、第１レンズ群及び第４レンズ群は、短焦点距離側ズーミング域内の長焦点側端部における位置より像面側に移動する。
Ｃ；上記中間焦点距離から長焦点距離端までの長焦点距離側ズーミング域では、第２レンズ群と第３レンズ群は、上記第１の間隔より狭い第２の間隔を保持して一体に、第１レンズ群及び第４レンズ群との空気間隔を変化させながら該第１レンズ群及び第４レンズ群とともに物体側に移動する。
【請求項４】
請求項３記載のズームレンズ系において、第２レンズ群と第３レンズ群は、焦点距離域に拘わらず、焦点調節時に一体に移動するフォーカスレンズ群であるズームレンズ系。
【請求項５】
物体側から順に、負のパワーの第１レンズ群と、負のパワーの第２レンズ群と、正のパワーの第３レンズ群と、負のパワーの第４レンズ群とからなり、各群間の相対距離を変更することにより、全系の焦点距離を短焦点距離端と長焦点距離端の間で変化させるズームレンズ系において、
上記第１ないし第４レンズ群は、次のＡ、Ｂ、Ｃのズーミング基礎軌跡を有することを特徴とするズームレンズ系。
Ａ；短焦点距離端から中間の焦点距離までの短焦点距離側ズーミング域では、第２レンズ群と第３レンズ群は第１の間隔を保持して一体に、第１レンズ群及び第４レンズ群との空気間隔を変化させながら該第１レンズ群及び第４レンズ群とともに物体側に移動する。
Ｂ；上記中間焦点距離において、第２レンズ群と第３レンズ群は、短焦点距離側ズーミング域内の長焦点側端部における位置よりも像面側に移動して、かつその間隔を上記第１の間隔より狭め、第１レンズ群及び第４レンズ群は、短焦点距離側ズーミング域内の長焦点側端部における位置よりも像面側に移動する。
Ｃ；上記中間焦点距離から長焦点距離端までの長焦点距離側ズーミング域では、第２レンズ群と第３レンズ群は、上記第１の間隔より狭い第２の間隔を保持して一体に、第１レンズ群及び第４レンズ群との空気間隔を変化させながら該第１レンズ群及び第４レンズ群とともに物体側に移動する。
【請求項６】
請求項５記載のズームレンズ系において、第２レンズ群と第３レンズ群は、焦点距離域に拘わらず、焦点調節時に一体に移動するフォーカスレンズ群であるズームレンズ系。
【請求項７】
物体側から順に、負のパワーの第１レンズ群と、正のパワーの第２レンズ群と、正のパワーの第３レンズ群と、負のパワーの第４レンズ群とからなり、各群間の相対距離を変更することにより、全系の焦点距離を短焦点距離端と長焦点距離端の間で変化させるズームレンズ系において、
上記第１ないし第４レンズ群は、次のＡ、Ｂ、Ｃのズーミング基礎軌跡を有することを特徴とするズームレンズ系。
Ａ；短焦点距離端から中間の焦点距離までの短焦点距離側ズーミング域では、第１レンズ群と第２レンズ群は広間隔を保持し、第３レンズ群と第４レンズ群は広間隔を保持し、この広間隔の第１レンズ群と第２レンズ群、広間隔の第３レンズ群と第４レンズ群は、互いの空気間隔を変化させながらともに物体側に移動する。
Ｂ；上記中間焦点距離において、第１レンズ群と第２レンズ群は、短焦点距離側ズーミング域内の長焦点側端部における位置よりも像面側に移動して、かつその間隔を上記広間隔より狭い狭間隔とし、第３レンズ群と第４レンズ群は、短焦点距離側ズーミング域内の長焦点側端部における位置よりも像面側に移動して、かつその間隔を上記広間隔より狭い狭間隔とする。
Ｃ；上記中間焦点距離から長焦点距離端までの長焦点距離側ズーミング域では、第１レンズ群と第２レンズ群は狭間隔を保持し、第３レンズ群と第４レンズ群は狭間隔を保持し、この狭間隔の第１レンズ群と第２レンズ群、及び狭間隔の第３レンズ群と第４レンズ群は、互いの空気間隔を変化させながらともに物体側に移動する。
【請求項８】
請求項７記載のズームレンズ系において、第１レンズ群と第２レンズ群は、焦点距離域に拘わらず、焦点調節時に一体に移動するフォーカスレンズ群であるズームレンズ系。
【請求項９】
物体側から順に、負のパワーの第１レンズ群と、正のパワーの第２レンズ群と、正のパワーの第３レンズ群と、負のパワーの第４レンズ群とからなり、各群間の相対距離を変更することにより、全系の焦点距離を短焦点距離端と長焦点距離端の間で変化させるズームレンズ系において、
上記第１ないし第４レンズ群は、次のＡ、Ｂ、Ｃ、Ｄ、Ｅのズーミング基礎軌跡を有することを特徴とするズームレンズ系。
Ａ；短焦点距離端から第一の中間の焦点距離までの短焦点距離側ズーミング域では、第１レンズ群と第２レンズ群は広間隔を保持し、第３レンズ群と第４レンズ群は広間隔を保持し、この広間隔の第１レンズ群と第２レンズ群、広間隔の第３レンズ群と第４レンズ群は、互いの空気間隔を変化させながらともに物体側に移動する。
Ｂ；上記第一の中間焦点距離において、第１レンズ群と第２レンズ群は、短焦点距離側ズーミング域内の長焦点側端部における位置よりも像面側に移動して、かつその間隔を上記広間隔より狭い狭間隔とし、第３レンズ群と第４レンズ群は、一体に像面側に移動する。
Ｃ；上記第一の中間焦点距離から第二の中間焦点距離までの中間焦点距離ズーミング域では、第１レンズ群と第２レンズ群は狭間隔を保持し、第３レンズ群と第４レンズ群は広間隔を保持し、この狭間隔の第１レンズ群と第２レンズ群、広間隔の第３レンズ群と第４レンズ群は、互いの空気間隔を変化させながらともに物体側に移動する。
Ｄ；上記第二の中間焦点距離において、第３レンズ群と第４レンズ群は、上記中間焦点距離ズーミング域内の長焦点側端部における位置よりも像面側に移動して、かつその間隔を上記広間隔より狭い狭間隔とし、第１レンズ群と第２レンズ群は、一体に像面側に移動する。
Ｅ；上記第二の中間焦点距離から長焦点距離端までの長焦点距離側ズーミング域では、第１レンズ群と第２レンズ群は狭間隔を保持し、第３レンズ群と第４レンズ群は狭間隔を保持し、この狭間隔の第１レンズ群と第２レンズ群、及び狭間隔の第３レンズ群と第４レンズ群は、互いの空気間隔を変化させながらともに物体側に移動する。
【請求項１０】
請求項９記載のズームレンズ系において、第１レンズ群と第２レンズ群は、焦点距離域に拘わらず、焦点調節時に一体に移動するフォーカスレンズ群であるズームレンズ系。
【請求項１１】
物体側から順に、負のパワーの第１レンズ群と、正のパワーの第２レンズ群と、正のパワーの第３レンズ群と、負のパワーの第４レンズ群とからなり、各群間の相対距離を変更することにより、全系の焦点距離を短焦点距離端と長焦点距離端の間で変化させるズームレンズ系において、
上記第１ないし第４レンズ群は、次のＡ、Ｂ、Ｃ、Ｄ、Ｅのズーミング基礎軌跡を有することを特徴とするズームレンズ系。
Ａ；短焦点距離端から第一の中間の焦点距離までの短焦点距離側ズーミング域では、第１レンズ群と第２レンズ群は広間隔を保持し、第３レンズ群と第４レンズ群は広間隔を保持し、この広間隔の第１レンズ群と第２レンズ群、広間隔の第３レンズ群と第４レンズ群は、互いの空気間隔を変化させながらともに物体側に移動する。
Ｂ；上記第一の中間焦点距離において、第３レンズ群と第４レンズ群は、短焦点距離側ズーミング域内の長焦点側端部における位置よりも像面側に移動して、かつその間隔を上記広間隔より狭い狭間隔とし、第１レンズ群と第２レンズ群は、一体に像面側に移動する。
Ｃ；上記第一の中間焦点距離から第二の中間焦点距離までの中間焦点距離ズーミング域では、第１レンズ群と第２レンズ群は広間隔を保持し、第３レンズ群と第４レンズ群は狭間隔を保持し、この広間隔の第１レンズ群と第２レンズ群、及び狭間隔の第３レンズ群と第４レンズ群は、互いの空気間隔を変化させながらともに物体側に移動する。
Ｄ；上記第二の中間焦点距離において、第１レンズ群と第２レンズ群は、上記中間焦点距離ズーミング域内の長焦点側端部における位置よりも像面側に移動して、かつその間隔を上記広間隔より狭い狭間隔とし、第３レンズ群と第４レンズ群は、一体に像面側に移動する。
Ｅ；上記第二の中間焦点距離から長焦点距離端までの長焦点距離側ズーミング域では、第１レンズ群と第２レンズ群は狭間隔を保持し、第３レンズ群と第４レンズ群は狭間隔を保持し、この狭間隔の第１レンズ群と第２レンズ群、及び狭間隔の第３レンズ群と第４レンズ群は、互いの空気間隔を変化させながらともに物体側に移動する。
【請求項１２】
請求項１１記載のズームレンズ系において、第１レンズ群と第２レンズ群は、焦点距離域に拘わらず、焦点調節時に一体に移動するフォーカスレンズ群であるズームレンズ系。
【請求項１３】
物体側から順に、正のパワーの第１レンズ群と、負のパワーの第２レンズ群と、正のパワーの第３レンズ群と、負のパワーの第４レンズ群とからなり、各群間の相対距離を変更することにより、全系の焦点距離を短焦点距離端と長焦点距離端の間で変化させるズームレンズ系において、
上記第１ないし第４レンズ群は、次のＡ、Ｂ、Ｃのズーミング基礎軌跡を有することを特徴とするズームレンズ系。
Ａ；短焦点距離端から中間の焦点距離までの短焦点距離側ズーミング域では、第１レンズ群と第２レンズ群は狭間隔、第２レンズ群と第３レンズ群は広間隔を保持し、これらの第１ないし第３レンズ群は、第４レンズ群との空気間隔を変化させながら、該第４レンズ群とともに物体側に移動する。
Ｂ；上記中間焦点距離において、第２レンズ群は像面側に移動して、第１レンズ群と第２レンズ群の間隔を広間隔、第２レンズ群と第３レンズ群の間隔を狭間隔とする。
Ｃ；上記中間焦点距離から長焦点距離端までの長焦点距離側ズーミング域では、第１レンズ群と第２レンズ群は広間隔、第２レンズ群と第３レンズ群は狭間隔を保持し、これらの第１ないし第３レンズ群は、第４レンズ群との空気間隔を変化させながら、該第４レンズ群とともに物体側に移動する。
【請求項１４】
請求項１３記載のズームレンズ系において、第１レンズ群ないし第３レンズ群は、焦点距離域に拘わらず、焦点調節時に一体に移動するフォーカスレンズ群であるズームレンズ系。
【請求項１５】
請求項１ないし１４のいずれか１項記載のズームレンズ系において、該ズームレンズ系は、撮影レンズ系とファインダ光学系が別々の光軸を有するカメラの撮影レンズ系として用いられるズームレンズ系。
【請求項１６】
請求項１ないし１５のいずれか１項記載のズームレンズ系において、各レンズ群の撮影時の停止位置は、ズーミング基礎軌跡上において、ステップワイズに定められるズームレンズ系。
【請求項１７】
焦点距離を変化させるために相対移動する複数の変倍レンズ群からなるズームレンズ系において、
上記複数の変倍レンズ群の少なくとも１つのレンズ群を、２以上のサブ群を有し、いずれか１つのサブ群が他のサブ群に対して物体側と像面側のいずれかの移動端に可動である切替群となし、
短焦点距離端から中間焦点距離に至る短焦点距離側ズーミング域では、この切替群中の可動サブ群を物体側の移動端に保持した状態において、切替群を含む複数の変倍レンズ群を互いの空気間隔を変化させながら物体側に移動させ、
中間焦点距離において、切替群中の可動サブ群を像面側の移動端に移動させるとともに、切替群を含む複数の変倍レンズ群をそれぞれ像面側に移動させ、
中間焦点距離から長焦点距離端に至る長焦点距離側ズーミング域では、切替群中の可動サブ群を像面側の移動端に保持した状態において、切替群を含む複数の変倍レンズ群を互いの空気間隔を変化させながら物体側に移動させることを特徴とするズームレンズ系。
【請求項１８】
焦点距離を変化させるために相対移動する複数の変倍レンズ群からなるズームレンズ系において、
上記複数の変倍レンズ群中の複数のレンズ群を、２以上のサブ群を有し、いずれか１つのサブ群が他のサブ群に対して物体側と像面側のいずれかの移動端に可動である切替群となし、
短焦点距離端においては、これら切替群中の可動サブ群をすべて物体側の移動端に位置させ、
短焦点距離端から長焦点距離端に至る間の複数の中間焦点距離において、上記複数の切替群中の可動サブ群を順次物体側の移動端から像面側の移動端に移動させるとともに、切替群を含むすべての変倍レンズ群を像面側に移動させ、
短焦点距離端から最初の中間焦点距離、複数の中間焦点距離の間、及び最後の中間焦点距離から長焦点距離端の各ズーミング域においては、切替群を含む複数の変倍レンズ群を互いの空気間隔を変化させながら物体側に移動させることを特徴とするズームレンズ系。
【請求項１９】
請求項１８記載のズームレンズ系において、複数の変倍レンズ群は、全てが切替群であるズームレンズ系。
【請求項２０】
請求項１９記載のズームレンズ系において、変倍レンズ群の数は２つであるズームレンズ系。
【発明の詳細な説明】
【０００１】
【技術分野】
本発明は、ズームレンズ系に関する。
【０００２】
【従来技術及びその問題点】
ズームレンズ系において、高ズーム比と小型化は、二律背反的要求であった。
例えば、小型にできる２群ズームレンズ系において、ズーム比を大きくするべく構成レンズ群の移動軌跡を定める（移動軌跡の解を求める）と、テレ側でのレンズ群の干渉、あるいはワイド側での像面との干渉が生じる。一方、３群ズームレンズ系では、２群ズームレンズ系よりズーム比を大きくできるが、小型化が困難である。また、さらなる高ズーム比を得るべく構成レンズ群のパワーを定めると、機構上、精度が出ない。
【０００３】
【発明の目的】
本発明は、高ズーム比でありながら小型化できるズームレンズ系を得ることを目的とする。
【０００４】
【発明の概要】
本発明は、その第一の態様によると、焦点距離を変化させるために相対移動する複数の変倍レンズ群からなるズームレンズ系において、複数の変倍レンズ群の少なくとも１つのレンズ群を、２以上のサブ群を有し、いずれか１つのサブ群が他のサブ群に対して物体側と像面側のいずれかの移動端に可動である切替群となし、短焦点距離端から中間焦点距離に至る短焦点距離側ズーミング域では、この切替群中の可動サブ群を物体側の移動端に保持した状態において、切替群を含む複数の変倍レンズ群を互いの空気間隔を変化させながら物体側に移動させ、中間焦点距離において、切替群中の可動サブ群を像面側の移動端に移動させるとともに、切替群を含む複数の変倍レンズ群をそれぞれ像面側に移動させ、中間焦点距離から長焦点距離端に至る長焦点距離側ズーミング域では、切替群中の可動サブ群を像面側の移動端に保持した状態において、切替群を含む複数の変倍レンズ群を互いの空気間隔を変化させながら物体側に移動させることを特徴としている。
【０００９】
本発明は、さらに別の態様では、焦点距離を変化させるために相対移動する複数の変倍レンズ群からなるズームレンズ系において、複数の変倍レンズ群中の複数のレンズ群を、２以上のサブ群を有し、いずれか１つのサブ群が他のサブ群に対して物体側と像面側のいずれかの移動端に可動である切替群となし、短焦点距離端においては、これら切替群中の可動サブ群をすべて物体側の移動端に位置させ、短焦点距離端から長焦点距離端に至る間の複数の中間焦点距離において、上記複数の切替群中の可動サブ群を順次物体側の移動端から像面側の移動端に移動させるとともに、切替群を含むすべての変倍レンズ群を像面側に移動させ、短焦点距離端から最初の中間焦点距離、複数の中間焦点距離の間、及び最後の中間焦点距離から長焦点距離端の各ズーミング域においては、切替群を含む複数の変倍レンズ群を互いの空気間隔を変化させながら物体側に移動させることを特徴としている。複数の変倍レンズ群は、全てを切替群とすることができる。変倍レンズ群の数は２つとすれば、構成が単純で高ズーム比のズームレンズ系が得られる。
【００１０】
次に、本発明のより具体的な態様を列挙する。
第一の具体的な態様は、物体側から順に、負のパワーの第１レンズ群と、正のパワーの第２レンズ群と、負のパワーの第３レンズ群とからなり、各群間の相対距離を変更することにより、全系の焦点距離を短焦点距離端と長焦点距離端の間で変化させるズームレンズ系において、第１ないし第３レンズ群は、次のＡ、Ｂ、Ｃのズーミング基礎軌跡を有することを特徴とする。
Ａ；上記短焦点距離端から中間の焦点距離までの短焦点距離側ズーミング域では、第１レンズ群と第２レンズ群は第１の間隔を保持して一体に、第３レンズ群との空気間隔を変化させながら該第３レンズ群とともに物体側に移動する。
Ｂ；上記中間焦点距離において、第１レンズ群と第２レンズ群は、短焦点距離側ズーミング域内の長焦点側端部における位置よりも像面側に移動して、かつその間隔を上記第１の間隔より狭め、第３レンズ群は、短焦点距離側ズーミング域内の長焦点側端部における位置より像面側に移動する。
Ｃ；上記中間焦点距離から長焦点距離端までの長焦点距離側ズーミング域では、第１レンズ群と第２レンズ群は、上記第１の間隔より狭い第２の間隔を保持して一体に、第３レンズ群との空気間隔を変化させながら該第３レンズ群とともに物体側に移動する。
【００１１】
第二の具体的態様は、物体側から順に、正のパワーの第１レンズ群と、負のパワーの第２レンズ群と、正のパワーの第３レンズ群と、負のパワーの第４レンズ群とからなり、各群間の相対距離を変更することにより、全系の焦点距離を短焦点距離端と長焦点距離端の間で変化させるズームレンズ系において、第１ないし第４レンズ群は、次のＡ、Ｂ、Ｃのズーミング基礎軌跡を有することを特徴とする。
Ａ；短焦点距離端から中間の焦点距離までの短焦点距離側ズーミング域では、第２レンズ群と第３レンズ群は第１の間隔を保持して一体に、第１レンズ群及び第４レンズ群との空気間隔を変化させながら該第１レンズ群及び第４レンズ群とともに物体側に移動する。
Ｂ；上記中間焦点距離において、第２レンズ群と第３レンズ群は、短焦点距離側ズーミング域内の長焦点側端部における位置よりも像面側に移動して、かつその間隔を上記第１の間隔より狭め、第１レンズ群及び第４レンズ群は、短焦点距離側ズーミング域内の長焦点側端部における位置より像面側に移動する。
Ｃ；上記中間焦点距離から長焦点距離端までの長焦点距離側ズーミング域では、第２レンズ群と第３レンズ群は、上記第１の間隔より狭い第２の間隔を保持して一体に、第１レンズ群及び第４レンズ群との空気間隔を変化させながら該第１レンズ群及び第４レンズ群とともに物体側に移動する。
【００１２】
第三の具体的態様は、物体側から順に、負のパワーの第１レンズ群と、負のパワーの第２レンズ群と、正のパワーの第３レンズ群と、負のパワーの第４レンズ群とからなり、各群間の相対距離を変更することにより、全系の焦点距離を短焦点距離端と長焦点距離端の間で変化させるズームレンズ系において、第１ないし第４レンズ群は、次のＡ、Ｂ、Ｃのズーミング基礎軌跡を有することを特徴とする。
Ａ；短焦点距離端から中間の焦点距離までの短焦点距離側ズーミング域では、第２レンズ群と第３レンズ群は第１の間隔を保持して一体に、第１レンズ群及び第４レンズ群との空気間隔を変化させながら該第１レンズ群及び第４レンズ群とともに物体側に移動する。
Ｂ；上記中間焦点距離において、第２レンズ群と第３レンズ群は、短焦点距離側ズーミング域内の長焦点側端部における位置よりも像面側に移動して、かつその間隔を上記第１の間隔より狭め、第１レンズ群及び第４レンズ群は、短焦点距離側ズーミング域内の長焦点側端部における位置よりも像面側に移動する。
Ｃ；上記中間焦点距離から長焦点距離端までの長焦点距離側ズーミング域では、第２レンズ群と第３レンズ群は、上記第１の間隔より狭い第２の間隔を保持して一体に、第１レンズ群及び第４レンズ群との空気間隔を変化させながら該第１レンズ群及び第４レンズ群とともに物体側に移動する。
【００１３】
第四の具体的態様は、物体側から順に、負のパワーの第１レンズ群と、正のパワーの第２レンズ群と、正のパワーの第３レンズ群と、負のパワーの第４レンズ群とからなり、各群間の相対距離を変更することにより、全系の焦点距離を短焦点距離端と長焦点距離端の間で変化させるズームレンズ系において、第１ないし第４レンズ群は、次のＡ、Ｂ、Ｃのズーミング基礎軌跡を有することを特徴とする。
Ａ；短焦点距離端から中間の焦点距離までの短焦点距離側ズーミング域では、第１レンズ群と第２レンズ群は広間隔を保持し、第３レンズ群と第４レンズ群は広間隔を保持し、この広間隔の第１レンズ群と第２レンズ群、広間隔の第３レンズ群と第４レンズ群は、互いの空気間隔を変化させながらともに物体側に移動する。
Ｂ；上記中間焦点距離において、第１レンズ群と第２レンズ群は、短焦点距離側ズーミング域内の長焦点側端部における位置よりも像面側に移動して、かつその間隔を上記広間隔より狭い狭間隔とし、第３レンズ群と第４レンズ群は、短焦点距離側ズーミング域内の長焦点側端部における位置よりも像面側に移動して、かつその間隔を上記広間隔より狭い狭間隔とする。
Ｃ；上記中間焦点距離から長焦点距離端までの長焦点距離側ズーミング域では、第１レンズ群と第２レンズ群は狭間隔を保持し、第３レンズ群と第４レンズ群は狭間隔を保持し、この狭間隔の第１レンズ群と第２レンズ群、及び狭間隔の第３レンズ群と第４レンズ群は、互いの空気間隔を変化させながらともに物体側に移動する。
【００１４】
第五の具体的態様は、物体側から順に、負のパワーの第１レンズ群と、正のパワーの第２レンズ群と、正のパワーの第３レンズ群と、負のパワーの第４レンズ群とからなり、各群間の相対距離を変更することにより、全系の焦点距離を短焦点距離端と長焦点距離端の間で変化させるズームレンズ系において、第１ないし第４レンズ群は、次のＡ、Ｂ、Ｃ、Ｄ、Ｅのズーミング基礎軌跡を有することを特徴とする。
Ａ；短焦点距離端から第一の中間の焦点距離までの短焦点距離側ズーミング域では、第１レンズ群と第２レンズ群は広間隔を保持し、第３レンズ群と第４レンズ群は広間隔を保持し、この広間隔の第１レンズ群と第２レンズ群、広間隔の第３レンズ群と第４レンズ群は、互いの空気間隔を変化させながらともに物体側に移動する。
Ｂ；上記第一の中間焦点距離において、第１レンズ群と第２レンズ群は、短焦点距離側ズーミング域内の長焦点側端部における位置よりも像面側に移動して、かつその間隔を上記広間隔より狭い狭間隔とし、第３レンズ群と第４レンズ群は、一体に像面側に移動する。
Ｃ；上記第一の中間焦点距離から第二の中間焦点距離までの中間焦点距離ズーミング域では、第１レンズ群と第２レンズ群は狭間隔を保持し、第３レンズ群と第４レンズ群は広間隔を保持し、この狭間隔の第１レンズ群と第２レンズ群、広間隔の第３レンズ群と第４レンズ群は、互いの空気間隔を変化させながらともに物体側に移動する。
Ｄ；上記第二の中間焦点距離において、第３レンズ群と第４レンズ群は、上記中間焦点距離ズーミング域内の長焦点側端部における位置よりも像面側に移動して、かつその間隔を上記広間隔より狭い狭間隔とし、第１レンズ群と第２レンズ群は、一体に像面側に移動する。
Ｅ；上記第二の中間焦点距離から長焦点距離端までの長焦点距離側ズーミング域では、第１レンズ群と第２レンズ群は狭間隔を保持し、第３レンズ群と第４レンズ群は狭間隔を保持し、この狭間隔の第１レンズ群と第２レンズ群、及び狭間隔の第３レンズ群と第４レンズ群は、互いの空気間隔を変化させながらともに物体側に移動する。
【００１５】
第六の具体的態様は、物体側から順に、負のパワーの第１レンズ群と、正のパワーの第２レンズ群と、正のパワーの第３レンズ群と、負のパワーの第４レンズ群とからなり、各群間の相対距離を変更することにより、全系の焦点距離を短焦点距離端と長焦点距離端の間で変化させるズームレンズ系において、第１ないし第４レンズ群は、次のＡ、Ｂ、Ｃ、Ｄ、Ｅのズーミング基礎軌跡を有することを特徴とする。
Ａ；短焦点距離端から第一の中間の焦点距離までの短焦点距離側ズーミング域では、第１レンズ群と第２レンズ群は広間隔を保持し、第３レンズ群と第４レンズ群は広間隔を保持し、この広間隔の第１レンズ群と第２レンズ群、広間隔の第３レンズ群と第４レンズ群は、互いの空気間隔を変化させながらともに物体側に移動する。
Ｂ；上記第一の中間焦点距離において、第３レンズ群と第４レンズ群は、短焦点距離側ズーミング域内の長焦点側端部における位置よりも像面側に移動して、かつその間隔を上記広間隔より狭い狭間隔とし、第１レンズ群と第２レンズ群は、一体に像面側に移動する。
Ｃ；上記第一の中間焦点距離から第二の中間焦点距離までの中間焦点距離ズーミング域では、第１レンズ群と第２レンズ群は広間隔を保持し、第３レンズ群と第４レンズ群は狭間隔を保持し、この広間隔の第１レンズ群と第２レンズ群、及び狭間隔の第３レンズ群と第４レンズ群は、互いの空気間隔を変化させながらともに物体側に移動する。
Ｄ；上記第二の中間焦点距離において、第１レンズ群と第２レンズ群は、上記中間焦点距離ズーミング域内の長焦点側端部における位置よりも像面側に移動して、かつその間隔を上記広間隔より狭い狭間隔とし、第３レンズ群と第４レンズ群は、一体に像面側に移動する。
Ｅ；上記第二の中間焦点距離から長焦点距離端までの長焦点距離側ズーミング域では、第１レンズ群と第２レンズ群は狭間隔を保持し、第３レンズ群と第４レンズ群は狭間隔を保持し、この狭間隔の第１レンズ群と第２レンズ群、及び狭間隔の第３レンズ群と第４レンズ群は、互いの空気間隔を変化させながらともに物体側に移動する。
【００１６】
第七の具体的態様は、物体側から順に、正のパワーの第１レンズ群と、負のパワーの第２レンズ群と、正のパワーの第３レンズ群と、負のパワーの第４レンズ群とからなり、各群間の相対距離を変更することにより、全系の焦点距離を短焦点距離端と長焦点距離端の間で変化させるズームレンズ系において、第１ないし第４レンズ群は、次のＡ、Ｂ、Ｃのズーミング基礎軌跡を有することを特徴とする。
Ａ；短焦点距離端から中間の焦点距離までの短焦点距離側ズーミング域では、第１レンズ群と第２レンズ群は狭間隔、第２レンズ群と第３レンズ群は広間隔を保持し、これらの第１ないし第３レンズ群は、第４レンズ群との空気間隔を変化させながら、該第４レンズ群とともに物体側に移動する。
Ｂ；上記中間焦点距離において、第２レンズ群は像面側に移動して、第１レンズ群と第２レンズ群の間隔を広間隔、第２レンズ群と第３レンズ群の間隔を狭間隔とする。
Ｃ；上記中間焦点距離から長焦点距離端までの長焦点距離側ズーミング域では、第１レンズ群と第２レンズ群は広間隔、第２レンズ群と第３レンズ群は狭間隔を保持し、これらの第１ないし第３レンズ群は、第４レンズ群との空気間隔を変化させながら、該第４レンズ群とともに物体側に移動する。
【００１７】
本発明のズームレンズ系は、撮影レンズ系とファインダ光学系が別々の光軸を有するカメラの撮影レンズ系として用いるのが実際的である。そして、各レンズ群のズーミング時の停止位置は、ズーミング基礎軌跡上において、ステップワイズに定める、つまり複数段の焦点距離ステップとするのが実際的である。
【００１８】
本発明によるズームレンズ系は、ズーミング基礎軌跡に不連続点があり、中間焦点距離での可動サブ群の移動がある。このため、仮に一眼レフカメラに用いると、これら不連続点や可動サブ群の移動による像変化が観察されてしまい好ましくない。そこで、撮影レンズ系とは別にファインダ光学系を設定できる、撮影レンズ系とファインダ光学系が別のカメラの撮影レンズ系として用いるのが好ましい。また、同様の理由から、各レンズ群の撮影時の停止位置は、ズーミング基礎軌跡上において、ステップワイズに定めることが好ましい。
【００１９】
【発明の実施の形態】
図１は、本発明によるズームレンズ系の第１の実施形態を示している。このズームレンズ系は、物体側から順に、全体として正のパワーの第１変倍レンズ群１０と、全体として負のパワーの第２変倍レンズ群２０からなっており、第１変倍レンズ群１０は、物体側から順に、負のパワーの第１レンズ群Ｌ１（第１サブ群Ｓ１）と正のパワーの第２レンズ群Ｌ２（第２サブ群Ｓ２）とからなり、第２変倍レンズ群２０は負のパワーの第３レンズ群Ｌ３からなっている。第１変倍レンズ群１０中の第２サブ群Ｓ２は、第１群枠１１に固定されており、第１サブ群Ｓ１の可動サブ群枠１２は、第１群枠１１に形成したガイド溝１３内で光軸方向に一定距離移動可能である。第１サブ群Ｓ１は、可動サブ群枠１２がガイド溝１３の前端部に当接する物体側の移動端と、後端部に当接する像面側の移動端との２位置を択一してとる。第３レンズ群Ｌ３は、第２群枠２１に固定されている。絞りＤは、第１変倍レンズ群１０（第１群枠１１）と一緒に移動する。
【００２０】
このズームレンズ系のズーミング基礎軌跡は、第１変倍レンズ群１０（第１群枠１１）と第２変倍レンズ群２０（第２群枠２１）との移動、及びガイド溝１３内での第１群枠１２（第１サブ群Ｓ１）の移動を伴って、次のように設定されている。
【００２１】
Ａ；短焦点距離端ｆｗから中間焦点距離ｆｍまでの短焦点距離側ズーミング域Ｚｗでは、第１サブ群Ｓ１は第２サブ群Ｓ２に対して離間した間隔（第１の間隔、広間隔）ｄ１を保持する。そして、第１変倍レンズ群１０（第１群枠１１）と第２変倍レンズ群２０（第２群枠２１）は、互いの空気間隔を変化させながらともに物体側に移動する。
【００２２】
Ｂ；中間焦点距離ｆｍにおいて、第１変倍レンズ群１０（第１群枠１１）と第２変倍レンズ群２０（第２群枠２１）は、短焦点距離側ズーミング域Ｚｗ内の長焦点側端部における位置よりも像面側に移動する。また、第１サブ群Ｓ１は、第１群枠１１のガイド溝１３内で像面側の移動端に達し、第２サブ群Ｓ２に対して接近した間隔（第２の間隔、狭間隔）ｄ２をとる。
【００２３】
Ｃ；中間焦点距離ｆｍから長焦点距離端ｆｔまでの長焦点距離側ズーミング域Ｚｔでは、第１サブ群Ｓ１は、第２サブ群Ｓ２に対して接近した間隔（第２の間隔）ｄ２を保持する。そして、第１変倍レンズ群１０（第１群枠１１）と第２変倍レンズ群２０（第２群枠２１）は、中間焦点距離ｆｍでの像面側への移動後の位置を基準にして、互いの空気間隔を変化させながらともに物体側に移動する。
【００２４】
図は、簡易的なもので、第１変倍レンズ群１０（第１群枠１１）と第２変倍レンズ群２０（第２群枠２１）のズーミング基礎軌跡を直線で描いているが、実際には直線であるとは限らない。
【００２５】
フォーカシングは、焦点距離域に拘わらず、第１サブ群Ｓ１と第２サブ群Ｓ２を一体に移動させて（つまり第１変倍レンズ群１０（第１群枠１１）を移動させて）行う。
【００２６】
以上のズームレンズ系のズーミング基礎軌跡は、中間焦点距離ｆｍにおいて不連続であるが、短焦点距離端ｆｗ、中間焦点距離ｆｍ（不連続点）及び長焦点距離端ｆｔでの第１サブ群Ｓ１（第１レンズ群Ｌ１）、第２サブ群Ｓ２（第２レンズ群Ｌ２）及び第３レンズ群Ｌ３の位置を適当に定めることにより、常時正しく像面に結像するような解が存在する。そして、このようなズーミング基礎軌跡によると、高ズーム比でありながら小型のズームレンズ系が得られる。
【００２７】
本実施形態のズーミング基礎軌跡に解が存在することは、例えば次の議論から明らかである。本実施形態のズームレンズ系は、物体側から順に、負、正、負のレンズ群に分けることができる。いま、物体側の負、正のレンズ（第１サブ群Ｓ１と第２サブ群Ｓ２）が、短焦点距離端ｆｗと長焦点距離端ｆｔでそれぞれ相対位置固定の正の前群（第１変倍レンズ群１０）を構成すると考えると、第１サブ群Ｓ１と第２サブ群Ｓ２の間隔は、短焦点距離端ｆｗの方が長焦点距離端ｆｔより広い（ｄ１＞ｄ２）から、短焦点距離端ｆｗと長焦点距離端ｆｔでの第１変倍レンズ群１０の焦点距離ＰｗとＰｔは、Ｐｔ＞Ｐｗである。この焦点距離Ｐｗの第１変倍レンズ群１０と第２変倍レンズ群２０、同Ｐｔの第１変倍レンズ群１０と第２変倍レンズ群２０とは別々の２群ズームレンズを構成することができ、それぞれでズーム解を求めることができる。この２つのズーム解が短焦点距離側ズーミング域Ｚｗ、長焦点距離側ズーミング域Ｚｔでのズーミング基礎軌跡である。しかし、この２つのズーミング基礎軌跡は、中間焦点距離ｆｍにおいて一致せず不連続となり、かつ前群中の負正のレンズ群の間隔も同一ではない。逆に言うと、中間焦点距離ｆｍにおいて第１変倍レンズ群１０と第２変倍レンズ群２０のズーミング基礎軌跡を不連続とし、第１変倍レンズ群１０中の負正のレンズ群の間隔を変化させることで、ズーミング中の動きとしては実質的な２群ズームレンズ系でありながら、高ズーム比でかつ小型のズームレンズ系を得ることができる。この議論は、図１の実施形態について述べたものであるが、これから説明する他の実施形態についても、場合によって２群を３群と読み替えることでそのまま妥当する。
【００２８】
図２は、本発明によるズームレンズ系の第２の実施形態を示している。このズームレンズ系は、物体側から順に、正のパワーの第１変倍レンズ群１０、全体として正のパワーの第２変倍レンズ群２０、負のパワーの第３変倍レンズ群３０からなっている。第１変倍レンズ群１０は正のパワーの第１レンズ群Ｌ１からなり、第２変倍レンズ群２０は、物体側から順に、負のパワーの第２レンズ群Ｌ２（第１サブ群Ｓ１）と正のパワーの第３レンズ群Ｌ３（第２サブ群Ｓ２）とからなり、第３変倍レンズ群３０は負のパワーの第４レンズ群Ｌ４からなっている。第１レンズ群Ｌ１は、第１変倍レンズ群枠１１に固定されている。第２変倍レンズ群２０中の第２サブ群Ｓ２は、第２群枠２１に固定されており、第１サブ群Ｓ１の可動サブ群枠２２は、第２群枠２１に形成したガイド溝２３内で光軸方向に一定距離移動可能である。第１サブ群Ｓ１は、可動サブ群枠２２がガイド溝２３の前端部に当接する物体側の移動端と、後端部に当接する像面側の移動端との２位置を択一してとる。第４レンズ群Ｌ４は、第３群枠３１に固定されている。絞りＤは、第２変倍レンズ群２０（第２群枠２１）と一緒に移動する。
【００２９】
この第２の実施形態のズームレンズ系のズーミング基礎軌跡は、第１変倍レンズ群１０（第１群枠１１）、第２変倍レンズ群２０（第２群枠２１）及び第３変倍レンズ群３０（第３群枠３１）の移動、及びガイド溝２３内での第２群枠２２（第１サブ群Ｓ１）の移動を伴って、次のように設定されている。
【００３０】
Ａ；短焦点距離端ｆｗから中間焦点距離ｆｍまでの短焦点距離側ズーミング域Ｚｗでは、第１サブ群Ｓ１は第２サブ群Ｓ２に対して離間した間隔（第１の間隔、広間隔）ｄ１を保持する。そして、第１変倍レンズ群１０（第１群枠１１）、第２変倍レンズ群２０（第２群枠２１）、及び第３変倍レンズ群３０（第３群枠３１）は、互いの空気間隔を変化させながらともに物体側に移動する。
【００３１】
Ｂ；中間焦点距離ｆｍにおいて、第１変倍レンズ群１０（第１群枠１１）、第２変倍レンズ群２０（第２群枠２１）、及び第３変倍レンズ群３０（第３群枠３１）は、短焦点距離側ズーミング域Ｚｗ内の長焦点側端部における位置よりも像面側に移動する。また、第１サブ群Ｓ１は、第２群枠２１のガイド溝２３内で像面側の移動端に達し、第２サブ群Ｓ２に対して接近した間隔（第２の間隔、狭間隔）ｄ２をとる。
【００３２】
Ｃ；中間焦点距離ｆｍから長焦点距離端ｆｔまでの長焦点距離側ズーミング域Ｚｔでは、第１サブ群Ｓ１は、第２サブ群Ｓ２に対して接近した間隔（第２の間隔）ｄ２を保持する。そして、第１変倍レンズ群１０（第１群枠１１）、第２変倍レンズ群２０（第２群枠２１）、及び第３変倍レンズ群３０（第３群枠３１）は、中間焦点距離ｆｍでの像面側への移動後の位置を基準にして、互いの空気間隔を変化させながらともに物体側に移動する。
【００３３】
図は、簡易的なもので、第１変倍レンズ群１０（第１群枠１１）、第２変倍レンズ群２０（第２群枠２１）及び第３変倍レンズ群３０（第３群枠３１）のズーミング基礎軌跡を直線で描いているが、実際には直線であるとは限らない。
【００３４】
フォーカシングは、焦点距離域に拘わらず、第１サブ群Ｓ１と第２サブ群Ｓ２を一体に移動させて（つまり第２変倍レンズ群２０（第２群枠２１）を移動させて）行う。
【００３５】
以上のズームレンズ系のズーミング基礎軌跡は、第１の実施形態と同じく、中間焦点距離ｆｍにおいて不連続であるが、短焦点距離端ｆｗ、中間焦点距離ｆｍ（不連続点）及び長焦点距離端ｆｔでの第１レンズ群Ｌ１、第１サブ群Ｓ１（第２レンズ群Ｌ２）、第２サブ群Ｓ２（第３レンズ群Ｌ３）及び第４レンズ群Ｌ４の位置を適当に定めることにより、常時正しく像面に結像するような解が存在する。そして、このようなズーミング基礎軌跡によると、高ズーム比でありながら小型のズームレンズ系が得られる。
【００３６】
図３は、本発明によるズームレンズ系の第３の実施形態を示している。この実施形態は、第２の実施形態における最も物体側の正レンズ群Ｌ１を負レンズ群Ｌ１に代えたもので、他は第２の実施形態と同様である。
【００３７】
図４は、本発明によるズームレンズ系の第４の実施形態を示している。このズームレンズ系は、物体側から順に、全体として正のパワーの第１変倍レンズ群１０と、全体として負のパワーの第２変倍レンズ群２０からなっており、第１変倍レンズ群１０は、物体側から順に、負のパワーの第１レンズ群Ｌ１（第１サブ群Ｓ１）と正のパワーの第２レンズ群Ｌ２（第２サブ群Ｓ２）とからなり、第２変倍レンズ群２０は、物体側から順に、正のパワーの第３レンズ群Ｌ３（第３サブ群Ｓ３）と負のパワーの第４レンズ群Ｌ４（第４サブ群Ｓ４）とから構成されている。
【００３８】
第１変倍レンズ群１０中の第２サブ群Ｓ２は、第１群枠１１に固定されており、第１サブ群Ｓ１を支持した可動サブ群枠１２は、第１群枠１１に形成したガイド溝１３内で光軸方向に一定距離移動可能である。第１サブ群Ｓ１は、可動サブ群枠１２がガイド溝１３の前端部に当接する物体側の移動端と、後端部に当接する像面側の移動端との２位置を択一してとる。同様に、第２変倍レンズ群２０中の第４サブ群Ｓ４は、第２群枠２１に固定されており、第３サブ群Ｓ３を支持した可動サブ群枠２２は、第２群枠２１に形成したガイド溝２３内で光軸方向に一定距離移動可能である。第３サブ群Ｓ３は、可動サブ群枠２２がガイド溝２３の前端部に当接する物体側の移動端と、後端部に当接する像面側の移動端との２位置を択一してとる。絞りＤは、第１変倍レンズ群１０（第１群枠１１）と一緒に移動する。
【００３９】
このズームレンズ系のズーミング基礎軌跡は、第１変倍レンズ群１０（第１群枠１１）と第２変倍レンズ群２０（第２群枠２１）との移動、及びガイド溝１３と２３内での第１群枠１１（第１サブ群Ｓ１）と第２群枠２１（第３サブ群Ｓ３）の移動を伴って、次のように設定されている。
【００４０】
Ａ；短焦点距離端ｆｗから中間焦点距離ｆｍまでの短焦点距離側ズーミング域Ｚｗでは、第１サブ群Ｓ１は第２サブ群Ｓ２に対して離間した間隔（第１の間隔、広間隔）ｄ１を保持し、第３サブ群Ｓ３は第４サブ群Ｓ４に対して離間した間隔（第１の間隔、広間隔）ｄ３をとる。そして、第１変倍レンズ群１０（第１群枠１１）と第２変倍レンズ群２０（第２群枠２１）は、互いの空気間隔を変化させながらともに物体側に移動する。
【００４１】
Ｂ；中間焦点距離ｆｍにおいて、第１変倍レンズ群１０（第１群枠１１）と第２変倍レンズ群２０（第２群枠２１）は、短焦点距離側ズーミング域Ｚｗ内の長焦点側端部における位置よりも像面側に移動する。また、第１サブ群Ｓ１は、第１群枠１１のガイド溝１３内で像面側の移動端に達し、第２サブ群Ｓ２に対して接近した間隔（第２の間隔、狭間隔）ｄ２をとり、第３サブ群Ｓ３は第４サブ群Ｓ４に対して接近した間隔（第２の間隔、狭間隔）ｄ４をとる。
【００４２】
Ｃ；中間焦点距離ｆｍから長焦点距離端ｆｔまでの長焦点距離側ズーミング域Ｚｔでは、第１サブ群Ｓ１は、第２サブ群Ｓ２に対して接近した間隔（狭間隔）ｄ２を保持し、第３サブ群Ｓ３は第４サブ群Ｓ４に対して接近した間隔（狭間隔）ｄ４を保持する。そして、第１変倍レンズ群１０（第１群枠１１）と第２変倍レンズ群２０（第２群枠２１）は、中間焦点距離ｆｍでの像面側への移動後の位置を基準にして、互いの空気間隔を変化させながらともに物体側に移動する。
【００４３】
図では、便宜上、第１変倍レンズ群１０（第１群枠１１）と第２変倍レンズ群２０（第２群枠２１）のズーミング基礎軌跡を線形で描いているが、実際には非線形である。
【００４４】
フォーカシングは、焦点距離域に拘わらず、第１サブ群Ｓ１と第２サブ群Ｓ２を一体に移動させて（つまり第１変倍レンズ群１０（第１群枠１１）を移動させて）行う。
【００４５】
以上のズームレンズ系のズーミング基礎軌跡は、第１ないし第３の実施形態と同じく、中間焦点距離ｆｍにおいて不連続であるが、短焦点距離端ｆｗ、中間焦点距離ｆｍ（不連続点）及び長焦点距離端ｆｔでの第１サブ群Ｓ１（第１レンズ群Ｌ１）、第２サブ群Ｓ２（第２レンズ群Ｌ２）、第３サブ群Ｓ３（第３レンズ群Ｌ３）及び第４サブ群Ｓ４（第４レンズ群Ｌ４）の位置を適当に定めることにより、常時正しく像面に結像するような解が存在する。そして、このようなズーミング基礎軌跡によると、高ズーム比でありながら小型のズームレンズ系が得られる。
【００４６】
図５は、本発明によるズームレンズ系の第５の実施形態を示している。このズームレンズ系は、物体側から順に、全体として正のパワーの第１変倍レンズ群１０と、全体として負のパワーの第２変倍レンズ群２０からなっており、第１変倍レンズ群１０は、物体側から順に、負のパワーの第１レンズ群Ｌ１（第１サブ群Ｓ１）と正のパワーの第２レンズ群Ｌ２（第２サブ群Ｓ２）とからなり、第２変倍レンズ群２０は、物体側から順に、正のパワーの第３レンズ群Ｌ３（第３サブ群Ｓ３）と負のパワーの第４レンズ群Ｌ４（第４サブ群Ｓ４）とから構成されている。
【００４７】
第１変倍レンズ群１０中の第２サブ群Ｓ２は、第１群枠１１に固定されており、第１サブ群Ｓ１を支持した可動サブ群枠１２は、第１群枠１１に形成したガイド溝１３内で光軸方向に一定距離移動可能である。第１サブ群Ｓ１は、可動サブ群枠１２がガイド溝１３の前端部に当接する物体側の移動端と、後端部に当接する像面側の移動端との２位置を択一してとる。同様に、第２変倍レンズ群２０中の第４サブ群Ｓ４は、第２群枠２１に固定されており、第３サブ群Ｓ３を支持した可動サブ群枠２２は、第２群枠２１に形成したガイド溝２３内で光軸方向に一定距離移動可能である。第３サブ群Ｓ３は、可動サブ群枠２２がガイド溝２３の前端部に当接する物体側の移動端と、後端部に当接する像面側の移動端との２位置を択一してとる。絞りＤは、第１変倍レンズ群１０（第１群枠１１）と一緒に移動する。
【００４８】
このズームレンズ系のズーミング基礎軌跡は、第１変倍レンズ群１０（第１群枠１１）と第２変倍レンズ群２０（第２群枠２１）との移動、及びガイド溝１３と２３内での第１群枠１１（第１サブ群Ｓ１）と第２群枠２１（第３サブ群Ｓ３）の移動を伴って、次のように設定されている。
【００４９】
Ａ；短焦点距離端ｆｗから第一の中間焦点距離ｆｍ１までの短焦点距離側ズーミング域Ｚｗでは、第１サブ群Ｓ１は第２サブ群Ｓ２に対して離間した間隔（第１の間隔、広間隔）ｄ１を保持し、第３サブ群Ｓ３は第４サブ群Ｓ４に対して離間した間隔（第１の間隔、広間隔）ｄ３をとる。そして、第１変倍レンズ群１０（第１群枠１１）と第２変倍レンズ群２０（第２群枠２１）は、互いの空気間隔を変化させながらともに物体側に移動する。
【００５０】
Ｂ；中間焦点距離ｆｍ１において、第１変倍レンズ群１０（第１群枠１１）及び第２変倍レンズ群２０（第２群枠２１）は、短焦点距離側ズーミング域Ｚｗ内の長焦点側端部における位置よりも像面側に移動する。また、第１サブ群Ｓ１は、第１群枠１１のガイド溝１３内で像面側の移動端に達し、第２サブ群Ｓ２に対して接近した間隔（第２の間隔、狭間隔）ｄ２をとる。
【００５１】
Ｃ；第一の中間焦点距離ｆｍ１から第二の中間焦点距離ｆｍ２までの中間ズーミング域Ｚｍでは、第１サブ群Ｓ１は第２サブ群Ｓ２に対して接近した間隔（第２の間隔、狭間隔）ｄ２を保持し、第３サブ群Ｓ３は第４サブ群Ｓ４に対して離間した間隔（第１の間隔、広間隔）ｄ３を保持する。そして、第１変倍レンズ群１０（第１群枠１１）と第２変倍レンズ群２０（第２群枠２１）は、第一の中間焦点距離ｆｍ１での像面側への移動後の位置を基準にして、互いの空気間隔を変化させながらともに物体側に移動する。
【００５２】
Ｄ；第二の中間焦点距離ｆｍ２において、第１変倍レンズ群１０（第１群枠１１）及び第２変倍レンズ群２０（第２群枠２１）は、中間ズーミング域Ｚｍ内の長焦点側端部における位置よりも像面側に移動する。また、第３サブ群Ｓ３は、第２群枠２１のガイド溝２３内で像面側の移動端に達し、第４サブ群Ｓ４に対して接近した間隔（第２の間隔、狭間隔）ｄ４をとる。
【００５３】
Ｅ；第二の中間焦点距離ｆｍ２から長焦点距離端ｆｔまでの長焦点距離側ズーミング域Ｚｔでは、第１サブ群Ｓ１は、第２サブ群Ｓ２に対して接近した間隔（狭間隔）ｄ２を保持し、第３サブ群Ｓ３は第４サブ群Ｓ４に対して接近した間隔（狭間隔）ｄ４を保持する。そして、第１変倍レンズ群１０（第１群枠１１）と第２変倍レンズ群２０（第２群枠２１）は、第二の中間焦点距離ｆｍ２での像面側への移動後の位置を基準にして、互いの空気間隔を変化させながらともに物体側に移動する。
【００５４】
図は、簡易的なもので、第１変倍レンズ群１０（第１群枠１１）と第２変倍レンズ群２０（第２群枠２１）のズーミング基礎軌跡を直線で描いているが、実際には直線であるとは限らない。
【００５５】
フォーカシングは、焦点距離域に拘わらず、第１サブ群Ｓ１と第２サブ群Ｓ２を一体に移動させて（つまり第１変倍レンズ群１０（第１群枠１１）を移動させて）行う。
【００５６】
以上のズームレンズ系のズーミング基礎軌跡は、第１ないし第４の実施形態と同じく、中間焦点距離ｆｍにおいて不連続であるが、短焦点距離端ｆｗ、第一、第二の中間焦点距離ｆｍ１、ｆｍ２（不連続点）及び長焦点距離端ｆｔでの第１サブ群Ｓ１（第１レンズ群Ｌ１）、第２サブ群Ｓ２（第２レンズ群Ｌ２）、第３サブ群Ｓ３（第３レンズ群Ｌ３）及び第４サブ群Ｓ４（第４レンズ群Ｌ４）の位置を適当に定めることにより、常時正しく像面に結像するような解が存在する。そして、このようなズーミング基礎軌跡によると、高ズーム比でありながら小型のズームレンズ系が得られる。
【００５７】
図６は、本発明によるズームレンズ系の第６の実施形態を示している。このズームレンズ系は、物体側から順に、全体として正のパワーの第１変倍レンズ群１０と、全体として負のパワーの第２変倍レンズ群２０からなっており、第１変倍レンズ群１０は、物体側から順に、負のパワーの第１レンズ群Ｌ１（第１サブ群Ｓ１）と正のパワーの第２レンズ群Ｌ２（第２サブ群Ｓ２）とからなり、第２変倍レンズ群２０は、物体側から順に、正のパワーの第３レンズ群Ｌ３（第３サブ群Ｓ３）と負のパワーの第４レンズ群Ｌ４（第４サブ群Ｓ４）とから構成されている。
【００５８】
第１変倍レンズ群１０中の第２サブ群Ｓ２は、第１群枠１１に固定されており、第１サブ群Ｓ１を支持した可動サブ群枠１２は、第１群枠１１に形成したガイド溝１３内で光軸方向に一定距離移動可能である。第１サブ群Ｓ１は、可動サブ群枠１２がガイド溝１３の前端部に当接する物体側の移動端と、後端部に当接する像面側の移動端との２位置を択一してとる。同様に、第２変倍レンズ群２０中の第４サブ群Ｓ４は、第２群枠２１に固定されており、第３サブ群Ｓ３を支持した可動サブ群枠２２は、第２群枠２１に形成したガイド溝２３内で光軸方向に一定距離移動可能である。第３サブ群Ｓ３は、可動サブ群枠２２がガイド溝２３の前端部に当接する物体側の移動端と、後端部に当接する像面側の移動端との２位置を択一してとる。絞りＤは、第１変倍レンズ群１０（第１群枠１１）と一緒に移動する。
【００５９】
このズームレンズ系のズーミング基礎軌跡は、第１変倍レンズ群１０（第１群枠１１）と第２変倍レンズ群２０（第２群枠２１）との移動、及びガイド溝１３と２３内での第１群枠１１（第１サブ群Ｓ１）と第２群枠２１（第３サブ群Ｓ３）の移動を伴って、次のように設定されている。
【００６０】
Ａ；短焦点距離端ｆｗから第一の中間焦点距離ｆｍ１までの短焦点距離側ズーミング域Ｚｗでは、第１サブ群Ｓ１は第２サブ群Ｓ２に対して離間した間隔（第１の間隔、広間隔）ｄ１を保持し、第３サブ群Ｓ３は第４サブ群Ｓ４に対して離間した間隔（第１の間隔、広間隔）ｄ３をとる。そして、第１変倍レンズ群１０（第１群枠１１）と第２変倍レンズ群２０（第２群枠２１）は、互いの空気間隔を変化させながらともに物体側に移動する。
【００６１】
Ｂ；中間焦点距離ｆｍ１において、第１変倍レンズ群１０（第１群枠１１）及び第２変倍レンズ群２０（第２群枠２１）は、短焦点距離側ズーミング域Ｚｗ内の長焦点側端部における位置よりも像面側に移動する。また、第３サブ群Ｓ３は、第２群枠２１のガイド溝２３内で像面側の移動端に達し、第４サブ群Ｓ４に対して接近した間隔（第２の間隔、狭間隔）ｄ４をとる。
【００６２】
Ｃ；第一の中間焦点距離ｆｍ１から第二の中間焦点距離ｆｍ２までの中間ズーミング域Ｚｍでは、第１サブ群Ｓ１は第２サブ群Ｓ２に対して離隔した間隔（第１の間隔、広間隔）ｄ１を保持し、第３サブ群Ｓ３は第４サブ群Ｓ４に対して接近した間隔（第２の間隔、狭間隔）ｄ４を保持する。そして、第１変倍レンズ群１０（第１群枠１１）と第２変倍レンズ群２０（第２群枠２１）は、、第一の中間焦点距離ｆｍ１での像面側への移動後の位置を基準にして、互いの空気間隔を変化させながらともに物体側に移動する。
【００６３】
Ｄ；第二の中間焦点距離ｆｍ２において、第１変倍レンズ群１０（第１群枠１１）及び第２変倍レンズ群２０（第２群枠２１）は、中間ズーミング域Ｚｍ内の長焦点側端部における位置よりも像面側に移動する。また、第１サブ群Ｓ１は、第１群枠１１のガイド溝１３内で像面側の移動端に達し、第２サブ群Ｓ２に対して接近した間隔（第２の間隔、狭間隔）ｄ２をとる。
【００６４】
Ｅ；第二の中間焦点距離ｆｍ２から長焦点距離端ｆｔまでの長焦点距離側ズーミング域Ｚｔでは、第１サブ群Ｓ１は、第２サブ群Ｓ２に対して接近した間隔（狭間隔）ｄ２を保持し、第３サブ群Ｓ３は第４サブ群Ｓ４に対して接近した間隔（狭間隔）ｄ４を保持する。そして、第１変倍レンズ群１０（第１群枠１１）と第２変倍レンズ群２０（第２群枠２１）は、第二の中間焦点距離ｆｍ２での像面側への移動後の位置を基準にして、互いの空気間隔を変化させながらともに物体側に移動する。
【００６５】
図は、簡易的なもので、第１変倍レンズ群１０（第１群枠１１）と第２変倍レンズ群２０（第２群枠２１）のズーミング基礎軌跡を直線で描いているが、実際には直線であるとは限らない。
【００６６】
フォーカシングは、焦点距離域に拘わらず、第１サブ群Ｓ１と第２サブ群Ｓ２を一体に移動させて（つまり第１変倍レンズ群１０（第１群枠１１）を移動させて）行う。
【００６７】
以上のズームレンズ系のズーミング基礎軌跡は、第１ないし第５の実施形態と同じく、中間焦点距離ｆｍにおいて不連続であるが、短焦点距離端ｆｗ、第一、第二の中間焦点距離ｆｍ１、ｆｍ２（不連続点）及び長焦点距離端ｆｔでの第１サブ群Ｓ１（第１レンズ群Ｌ１）、第２サブ群Ｓ２（第２レンズ群Ｌ２）、第３サブ群Ｓ３（第３レンズ群Ｌ３）及び第４サブ群Ｓ４（第４レンズ群Ｌ４）の位置を適当に定めることにより、常時正しく像面に結像するような解が存在する。そして、このようなズーミング基礎軌跡によると、高ズーム比でありながら小型のズームレンズ系が得られる。
【００６８】
図７は、本発明によるズームレンズ系の第７の実施形態を示している。このズームレンズ系は、物体側から順に、全体として正のパワーの第１変倍レンズ群１０と、負のパワーの第２変倍レンズ群２０からなっている。第１変倍レンズ群１０は、物体側から順に、正のパワーの第１レンズＬ１（第１サブ群Ｓ１）、負のパワーの第２レンズ群Ｌ２（第２サブ群Ｓ２）、及び正のパワーの第３レンズ群Ｌ３（第３サブ群Ｓ３）からなり、第２変倍レンズ群２０は負のパワーの第４レンズ群Ｌ４からなっている。第１変倍レンズ群１０の第１サブ群Ｓ１と第３サブ群Ｓ３は、第１群枠１１に固定されており、第２サブ群Ｓ２を支持する可動サブ群枠１２は、第１群枠１１に形成したガイド溝１３内で光軸方向に一定距離移動可能である。第２サブ群Ｓ２は、可動サブ群枠１２がガイド溝１３の前端部に当接する物体側の移動端と、後端部に当接する像面側の移動端との２位置を択一してとる。第４レンズ群Ｌ４は、第２群枠２１に固定されている。絞りＤは、第１変倍レンズ群１０（第１群枠１１）と一緒に移動する。
【００６９】
このズームレンズ系のズーミング基礎軌跡は、第１変倍レンズ群１０（第１群枠１１）と第２変倍レンズ群２０（第２群枠２１）との移動、及びガイド溝１３内での第１群枠１１（第２サブ群Ｓ２）の移動を伴って、次のように設定されている。
【００７０】
Ａ；短焦点距離端ｆｗから中間焦点距離ｆｍまでの短焦点距離側ズーミング域Ｚｗでは、第２サブ群Ｓ２は第１サブ群Ｓ１に対して接近した狭間隔、第３サブ群Ｓ３に対して離間した広間隔を保持する。そして、第１変倍レンズ群１０（第１群枠１１）と第２変倍レンズ群２０（第２群枠２１）は、互いの空気間隔を変化させながらともに物体側に移動する。
【００７１】
Ｂ；中間焦点距離ｆｍにおいて、第１変倍レンズ群１０（第１群枠１１）と第２変倍レンズ群２０（第２群枠２１）は、短焦点距離側ズーミング域Ｚｗ内の長焦点側端部における位置よりも像面側に移動する。また、第２サブ群Ｓ２は、第１群枠１１のガイド溝１３内で像面側の移動端に達し、第１サブ群Ｓ１に対して離隔した広間隔、第３サブ群Ｓ３に対して接近した狭間隔をとる。
【００７２】
Ｃ；中間焦点距離ｆｍから長焦点距離端ｆｔまでの長焦点距離側ズーミング域Ｚｔでは、第２サブ群Ｓ２は、第１サブ群Ｓ１に対して離隔した広間隔、第３サブ群Ｓ３に対して接近した狭間隔を保持する。そして、第１変倍レンズ群１０（第１群枠１１）と第２変倍レンズ群２０（第２群枠２１）は、中間焦点距離ｆｍでの像面側への移動後の位置を基準にして、互いの空気間隔を変化させながらともに物体側に移動する。
【００７３】
図は、簡易的なもので、第１変倍レンズ群１０（第１群枠１１）と第２変倍レンズ群２０（第２群枠２１）のズーミング基礎軌跡を直線で描いているが、実際には直線であるとは限らない。
【００７４】
フォーカシングは、焦点距離域に拘わらず、第１サブ群Ｓ１ないし第３サブ群Ｓ３を一体に移動させて（つまり第１変倍レンズ群１０（第１群枠１１）を移動させて）行う。
【００７５】
以上のズームレンズ系のズーミング基礎軌跡は、第１ないし第６の実施形態と同じく、中間焦点距離ｆｍにおいて不連続であるが、短焦点距離端ｆｗ、中間焦点距離ｆｍ（不連続点）及び長焦点距離端ｆｔでの第１サブ群Ｓ１（第１レンズ群Ｌ１）、第２サブ群Ｓ２（第２レンズ群Ｌ２）、第３サブ群Ｓ３（第３レンズ群Ｌ３）及び第４レンズ群Ｌ４の位置を適当に定めることにより、常時正しく像面に結像するような解が存在する。そして、このようなズーミング基礎軌跡によると、高ズーム比でありながら小型のズームレンズ系が得られる。
【００７６】
前述のように、本発明のズームレンズ系は、撮影レンズ系とファインダ光学系が別々の光軸を有するカメラの撮影レンズ系として用いるのが実際的である。そして、各レンズ群の撮影時のズーミング時の停止位置は、ズーミング基礎軌跡上において、ステップワイズに定める、つまり複数段の焦点距離ステップとするのがよい。図８、図９は、各レンズ群のズーミング時の停止位置をステップワイズにした場合の例を示している。この例は、図１の第一の実施形態を例にしたもので、図１の構成要素と同一の構成要素には同一の符号を付している。ズーミング基礎軌跡は、破線で示しており、撮影時の第１群枠１１と第２群枠２１のズーミング時の停止位置を、破線のズーミング軌跡上に黒丸で示している。また、図９は、図８の黒丸を滑らかな曲線で接続した移動軌跡を実線で描いたもので、実際の機械構成では、第１群枠１１と第２群枠２１をこのように移動させることができる。
【００７７】
以上の各実施形態では、便宜上、各レンズ群を単レンズとして図示したが、これらは勿論複数のレンズから構成することができる。
【００７８】
【発明の効果】
本発明によれば、高ズーム比で小型のズームレンズ系が得られる。
【図面の簡単な説明】
【図１】本発明によるズームレンズ系の第１の実施形態のズーミング基礎軌跡を示す図である。
【図２】本発明によるズームレンズ系の第２の実施形態のズーミング基礎軌跡を示す図である。
【図３】本発明によるズームレンズ系の第３の実施形態のズーミング基礎軌跡を示す図である。
【図４】本発明によるズームレンズ系の第４の実施形態のズーミング基礎軌跡を示す図である。
【図５】本発明によるズームレンズ系の第５の実施形態のズーミング基礎軌跡を示す図である。
【図６】本発明によるズームレンズ系の第６の実施形態のズーミング基礎軌跡を示す図である。
【図７】本発明によるズームレンズ系の第７の実施形態のズーミング基礎軌跡を示す図である。
【図８】本発明によるズームレンズ系の構成レンズ群の撮影時の停止位置の例を示す図である。
【図９】同停止位置の例と、実際のレンズ群の移動軌跡の例を示す図である。
【符号の説明】
Ｌ１  第１レンズ群
Ｌ２  第２レンズ群
Ｌ３  第３レンズ群
Ｌ４  第４レンズ群
Ｓ１  第１サブ群
Ｓ２  第２サブ群
Ｓ３  第３サブ群
Ｓ４  第４サブ群
１０  第１変倍レンズ群
１１  第１群枠
１２  可動サブ群枠
１３  ガイド溝
２０  第２変倍レンズ群
２１  第２群枠
２２  可動サブ群枠
２３  ガイド溝
３０  第３変倍レンズ群
３１  第３群枠
【図１】
0003752097.tif 000002
【図２】
0003752097.tif 000003
【図３】
0003752097.tif 000004
【図４】
0003752097.tif 000005
【図５】
0003752097.tif 000006
【図６】
0003752097.tif 000007
【図７】
0003752097.tif 000008
【図８】
0003752097.tif 000009
【図９】
0003752097.tif 000010